(57)【要約】【課題】時計部の時間情報を正確に補正することができるデジタル放送受信機を提供する。【解決手段】予めユーザーにより設定された時間情報補正を行う時間が到来することにより、選局部６において受信できる全てのチャンネルに対して選局を行い、選局により得られたＴＳ（トランスポートストリーム）信号に含まれている時間情報を時間情報精査部１６で精査した後、時間情報検証部１７にて検証することにより、最も確度が高い時間情報を導出し、導出された時間情報に基づき、時計部３の時間情報の補正を行う。【選択図】図３
2008294865.tif 000002
【特許請求の範囲】
【請求項１】
複数の送信源の中から受信するデジタル放送を選局するための選局部と、
前記選局部で選局したデジタル放送の放送信号を受信するためのチューナと、
前記チューナで受信した放送信号を復調するための復調部と、
前記復調部で復調した放送信号に含まれている映像信号と音声信号とデータ信号とを抽出するための放送信号処理部と、
を備えたデジタル放送受信機において、
前記放送信号処理部で抽出したデータ信号に含まれている時間情報を精査するための時間情報精査部と、
前記時間情報精査部で精査された時間情報の確度を検証するための時間情報検証部と、
時間情報を管理するための時計部とを設け、
前記時計部の時間情報を基準として、前記時計部の時間情報補正を行う時間が到来することにより、前記選局部にて受信できるデジタル放送を複数選局し、前記放送信号処理部にて、選局により得られた複数の放送信号から時間情報を抽出し、
前記放送信号処理部で抽出され、前記時間情報検証部で検証された複数の時間情報の中で最も確度の高い時間情報に基づいて、前記時計部の時間情報を補正することを特徴とするデジタル放送受信機。
【請求項２】
請求項１に記載のデジタル放送受信機において、
前記時間情報精査部は、最初の選局を行った時の選局時間からその後の各選局時間の間の選局時間差分を算出し、前記時間情報から前記選局時間差分を引くことにより、最初の選局を行った時の選局時間において、前記放送信号の各々に含まれる時間情報を生成することを特徴とするデジタル放送受信機。
【請求項３】
請求項１または請求項２に記載のデジタル放送受信機において、
前記時間情報検証部は、前記時間情報精査部で精査された時間情報の中で最も情報数が多い時間情報が有るか否かを検証し、ある場合は、該当する時間情報を最も確度の高い時間情報とし、ない場合は、明らかに異なる時間情報を検証対象から除外した後に、検証対象の時間情報の平均値を算出し、この平均値に近い時間情報であり、かつ時間情報数が最も多い時間情報を、最も確度が高い時間情報として導出することを特徴とするデジタル放送受信機。
【発明の詳細な説明】
【技術分野】
【０００１】
本発明は、時間情報を管理する時計部を有し、デジタル放送の放送信号に付加されるデータに含まれた情報を用いることにより、時計部の時間情報補正を行うデジタル放送受信機に関するものである。
【背景技術】
【０００２】
近年のデジタル技術の発達により、放送の分野においてもデジタル化が進み、地上波デジタルテレビジョン放送／ＢＳ（Broadcasting Satellite）デジタル放送／ＣＳ（Communications Satellite）デジタル放送などが実用化されている。
【０００３】
このデジタル放送の普及により、従来日本国内において行われてきた地上波アナログテレビジョン放送は、２０１１年７月末までに終了される予定となっており、放送終了後は、多チャンネル化／高画質化／高機能化（例えば、双方向サービスの提供）などの実現が可能な地上デジタルテレビジョン放送へ完全に移行される予定である。
また、このデジタル放送は、放送技術の規格などの面で多少の異なりはあるが、世界の潮流であるため、ヨーロッパ諸国など世界各国でも実用化されている。
【０００４】
地上波デジタルテレビジョン放送に代表されるようなデジタル放送では、映像・音声・データ（例えば、時間情報や番組情報）などから構成されるトランスポートストリーム（以下、ＴＳと略す）がデジタル圧縮技術によりデジタル信号化され、デジタル放送受信機へ送信される。
【０００５】
ここで、デジタル放送受信機の多くは、その受信機内部において現在の時間情報を管理するための時計部を備えており、特に、ＤＶＤ（Digital Versatile Disk）レコーダに代表されるような録画機能を備えたデジタル放送受信機においては、ユーザーにより設定された録画予約の開始および終了の時刻は、受信機に備えられた時計部の時間情報を基準としているため、正確な時間情報の管理が必要不可欠である。
【０００６】
この時計部の時間情報の管理に係る時間設定は、従来、ユーザーにより手動でなされてきたが、刻々と変化する時間情報に同調させ、正確な時間情報を設定することは困難を極める。
また、時間情報を正確に設定できた場合においても、その後の時間情報の管理は、デジタル放送受信機全体を制御するマイクロプロセッサによってなされ、このマイクロプロセッサは、温度や湿度などの外部環境の変動や、その他の様々な要因により精度が変動するため、日々少しずつではあるが管理対象の時間情報にズレを生じさせてしまう。
【０００７】
この問題を解決すべく、後掲の特許文献１では、複数のデジタル放送の受信を可能とする受信機が記載されており、この受信機には、各送信源別に時間管理を行うための専用の時計部が複数設けられている。
これにより、複数の送信源の中から受信する送信源として１つを選局し、選局した送信源から送信されるデジタル放送のＴＳ信号を受信機で受信し、受信したＴＳ信号に含まれる時間情報を受信機で抽出した後、抽出した時間情報に基づき、選局した送信源専用に設けられた時計部の時間情報の設定または修正を行う。
【０００８】
また、後掲の特許文献２では、放送信号を伝送するための送信機と、送信機から伝送された放送信号を受信するための受信機が記載されており、送信機に設定されている時間情報を含むスケジュール情報の作成を行い、作成したスケジュール情報を放送信号に含ませた後、この放送信号を受信機へ伝送する。
これにより、放送信号を受信した受信機は、受信した放送信号に含まれているスケジュール情報から時間情報を抽出し、この抽出した時間情報に基づいて、受信機に備えられている時計部の時間情報の修正を行う。
【０００９】
さらに、後掲の特許文献３では、衛星デジタル放送受信機に接続され、かつ時計部を有した周辺機器の時間修正方法が記載されており、衛星から送信された衛星デジタル放送のＴＳ信号を上述の衛星デジタル放送受信機で受信し、受信したＴＳ信号に含まれている時間情報を同受信機で抽出する。
ここで、抽出した時間情報を衛星デジタル放送受信機に接続された周辺機器に送信する場合は、送信遅延量（送信時間）が発生するため、この送信遅延量（送信時間）を考慮して抽出した時間情報の補正を行い、補正された時間情報を周辺機器に送信する。
この周辺機器に送信された時間情報と周辺機器の時計部が保持している時間情報とのズレが１分以上の場合は、送信された時間情報に基づいて、周辺機器の時計部が保持している時間情報が修正され、ズレが１分未満の場合は、周辺機器の時計機能が保持している時間情報は修正されない。
【００１０】
【特許文献１】特開平１０−２３４０１３号公報
【特許文献２】特開２０００−３５３９７０号公報
【特許文献３】特開２００２−２２８７８０号公報
【発明の開示】
【発明が解決しようとする課題】
【００１１】
上記の特許文献１または３においては、受信機で受信したＴＳ信号に含まれている時間情報を基に、受信機に設けられた時計部の時間情報の補正を行うが、このＴＳ信号に含まれている時間情報は、放送信号の送信元の設備状態や放送の編集仕様、その他の諸事情により、各送信源または各番組ごとに大小様々な違いが生じているため、上記文献の補正方法では、時間情報の確度の点で、正確な時間情報の補正を行えるとは言い難い。
【００１２】
また、上記の特許文献２においては、送信機に設定された時間情報を基に受信機側の時間情報を設定するため、送信機側の時間情報が正確に設定されていないことには受信機の時間情報も正確に補正することは出来ない。
【００１３】
本発明は、上述した問題点に鑑み、時計部の時間情報を正確に補正することができるデジタル放送受信機を提供することを目的としている。
【課題を解決するための手段】
【００１４】
本発明では、複数の送信源の中から受信するデジタル放送を選局するための選局部と、選局部で選局したデジタル放送の放送信号を受信するためのチューナと、チューナで受信した放送信号を復調するための復調部と、復調部で復調した放送信号に含まれている映像信号と音声信号とデータ信号とを抽出するための放送信号処理部とを備えたデジタル放送受信機において、放送信号処理部で抽出したデータ信号に含まれている時間情報を精査するための時間情報精査部と、時間情報精査部で精査された時間情報の確度を検証するための時間情報検証部と、時間情報を管理するための時計部とを設けている。
そして、時計部の時間情報を基準として、時計部の時間情報補正を行う時間が到来することにより、選局部にて受信できるデジタル放送を複数選局し、放送信号処理部にて、選局により得られた複数の放送信号から時間情報を抽出する。
放送信号処理部で抽出された時間情報は、時間情報検証部にて検証され、時間情報検証部で検証された複数の時間情報の中で最も確度の高い時間情報に基づいて、時計部の時間情報が補正される。
【００１５】
このように、放送信号から抽出した複数の時間情報を検証して、最も確度の高い時間情報を用いて時計部の時間情報を補正することにより、１つの送信源から送信された放送信号に含まれる単一の時間情報に基づいて時間情報を補正する場合に比べて、精度の高い時間情報の補正を行うことが出来る。
【００１６】
また、本発明では、時間情報精査部において、最初の選局を行った時の選局時間からその後の各選局時間の間の選局時間差分を算出し、各放送信号に含まれている時間情報から選局時間差分を引くことにより、最初の選局を行った時の選局時間における放送信号の各々に含まれる時間情報を生成する。
【００１７】
このようにすることで、ある特定の同時刻における各送信源別の時間情報を生成することができる。
【００１８】
また、本発明では、時間情報検証部において、時間情報精査部で精査された時間情報の中で最も情報数が多い時間情報が有るか否かを検証し、ある場合は、該当する時間情報を最も確度の高い時間情報とし、ない場合は、明らかに異なる時間情報を検証対象から除外した後に、検証対象の時間情報の平均値を算出し、この平均値に近い時間情報であり、かつ時間情報数が最も多い時間情報を、最も確度が高い時間情報として導出する。
【００１９】
このようにすることで、時間情報精査部で精査された時間情報の中に最も情報数が多い時間情報がない場合においても、最も確度の高い時間情報を導出することができる。
【発明の効果】
【００２０】
本発明によれば、デジタル放送受信機で受信した放送信号に含まれる時間情報を複数抽出することにより、抽出した時間情報の中から最も確度の高い時間情報を導出し、この導出した時間情報に基づいて、同受信機に設けられた時計部の時間情報を正確に補正することができる。
【発明を実施するための最良の形態】
【００２１】
以下、本発明の実施形態につき、図面を参照しながら説明する。
【００２２】
図１は、本発明に係るデジタル放送受信機を用いて構成されるシステムの一例を示した図である。
図において、５はデジタル放送の電波を受信するためのアンテナ、１００はアンテナ５で受信した電波に含まれる放送信号から映像信号と音声信号とデータ信号の抽出を行い、抽出した各信号に対して信号処理を行うデジタル放送受信機、１１はデジタル放送受信機１００に接続され、デジタル放送受信機１００で画像処理が行われた映像信号またはデータ処理が行われたデータ信号を受信し、映像またはデータを表示するＬＣＤ（Liquid Crystal Display）、１３はデジタル放送受信機１００に接続され、デジタル放送受信機１００で音声処理が行われた音声信号を受信し、音声を出力するスピーカである。
【００２３】
図２は、デジタル放送受信機１００で受信した放送信号の構成を示す図である。
図において、２１はデジタル放送受信機１００で受信した放送信号であって、映像や音声、データなどの個別のストリームを共通の信号形式で扱い、多重化信号としたトランスポートストリーム（以下、ＴＳと略す）、２２はＴＳ２１を構成するトランスポートパケット（以下、ＴＳパケットと略す）、２３〜２５は各ＴＳパケット２２に含まれる個別のストリームであって、２３は映像ストリーム、２４は音声ストリーム、２５はデータストリームである。
【００２４】
映像ストリーム２３は、パケットヘッダ２６と映像情報２７から構成されており、パケットヘッダ２６には、各パケットの種類を表すパケット識別子（図示省略）が含まれている。
以下同様にして、音声ストリーム２４はパケットヘッダ２６と音声情報２８から構成され、データストリーム２５はパケットヘッダ２６とデータ情報２９から構成されている。
また、データ情報２９には、時間情報や番組情報など様々な情報３０が含まれている。
【００２５】
図３は本発明に係るデジタル放送受信機の一例を示したブロック図である。
図３では、図１と同一部分または対応する部分に同一符号を付してある。
図において、１はデジタル放送受信機１００全体の制御を行うマイクロプロセッサ、２はデジタル放送受信機１００内の各部へ電源を供給する電源部、３はデジタル放送受信機１００において時間情報の管理を行う時計部、４は時計部３の時間情報を基準として、設定された時間が到来することにより到来事実を信号形式などにより出力するタイマ、６は受信するデジタル放送を複数の送信源の中から選局するための選局部、７は選局部で選局したデジタル放送の放送信号をアンテナ５を介して受信するチューナ、８はチューナ７で受信した放送信号を復調するための復調部、９は復調部８で復調されたトランスポートストリーム信号（以下、ＴＳ信号と略す）から映像信号と音声信号とデータ信号とを抽出するためのＴＳ信号処理部である。
【００２６】
映像信号処理部１０では、ＴＳ信号処理部９でＴＳ信号から抽出された映像信号に対して画像処理が施され、画像処理が施された映像信号は、デジタル放送受信機１００に接続されたＬＣＤ１１に出力される。
同様にして、音声信号処理部１２では、ＴＳ信号処理部９でＴＳ信号から抽出された音声信号に対して音声処理が施され、音声処理が施された音声信号は、デジタル放送受信機１００に接続されたスピーカ１３に出力される。
また、データ信号処理部１４では、ＴＳ信号処理部９でＴＳ信号から抽出されたデータ信号から時間情報とそれ以外の情報とが抽出される。
【００２７】
データ信号処理部１４で抽出された時間情報は、時間情報精査部１６において精査され、精査結果に基づき精査後の時間情報が生成される。
そして、精査後の時間情報は、時間情報検証部１７において検証手段により、この時間情報の確度が検証され、最も確度の高い時間情報が導出される。
さらに、導出された時間情報に、この時間情報の導出までに要した時間情報を加えて、補正用時間情報を生成し、生成された補正用時間情報に基づいて、時計部３の時間情報の補正を行う。
なお、精査および検証の詳細は後述する。
【００２８】
図４は上述したデジタル放送受信機１００における時間情報補正手順を示すフローチャートである。
【００２９】
ステップＳ１では、時計部３の時間情報の補正を行う時間の設定を行う。
設定を行う際の各設定項目はＬＣＤ１１に表示され、例えば図５に示すような表示となる。
ここで、本発明を用いて時間情報の補正を行うには、複数のチャンネルを選局することによって複数のＴＳ信号を受信し、各ＴＳ信号に含まれている時間情報を抽出する必要がある。
このため、設定する時間帯として、視聴の可能性が低い時間帯（例えば、午前３時３０分など）を選ぶ方がよい。
【００３０】
ステップＳ２では、ステップＳ１で設定した時間が到来することにより、タイマ４から到来事実を示す信号が出力される。
【００３１】
ステップＳ３では、ステップＳ２での信号出力に伴って選局部６が起動し、選局部６は受信できる全てのチャンネルに対して選局を行う。
【００３２】
ステップＳ４では、ステップＳ３での選局により得られた各々のＴＳ信号に対して抽出処理を行い、これによりステップＳ５で、各々のＴＳ信号から映像信号と音声信号とデータ信号が抽出される。
【００３３】
ステップＳ６では、ステップＳ５で抽出されたデータ信号の全てに対して更なる抽出処理を行い、これによりステップＳ７で、全てのデータ信号から時間情報とそれ以外の情報が抽出される。
【００３４】
ステップＳ８では、ステップＳ７で抽出された時間情報の全てに対して、時間情報精査部１６で時間情報を精査し、精査後の時間情報を生成する。
【００３５】
ステップＳ９では、ステップＳ８で生成された精査後の時間情報の全てに対して、時間情報検証部１７で時間情報の確度を検証し、最も確度の高い時間情報を導出する。
【００３６】
ステップＳ１０では、時間情報検証部１７で得られた最も確度の高い時間情報に基づき時計部３の時間情報の補正を行なう。
具体的には、まず始めに、選局部６による選局の開始から時間検証部１７による全ての検証を終了するまでの検証時間を算出し、次に、この算出された検証時間にステップＳ９で導出された最も確度の高い時間情報を加えて補正用時間情報を生成し、最後に、この生成した補正用時間情報を、時計部３の時間情報（現在時刻）として設定する。すなわち、時計部３の時間情報を補正用時間情報に書き換えることにより、現在時刻の補正を行う。
【００３７】
図６は、本発明における時間情報の精査を詳述するための図であり、一例として異なる１５のチャンネルの選局を行った場合の精査例を挙げたものである。
図において、３１は選局したチャンネル、３２は各１５のチャンネルに対して選局を行った時の選局時間、３３は最初の選局を行った時の選局時間３２からその後の選局時間３２までの間の選局時間差分、３４は選局を行うことにより得られた各々のＴＳ、３５は選局により得られた各々のＴＳに含まれている時間情報であって、精査する前の精査前時間情報、３６は精査前時間情報３５に対して精査を行うことにより生成した精査後時間情報である。
【００３８】
ここで、本実施形態における精査とは、各々のＴＳ信号に含まれている精査前時間情報３５から各選局時間差分３３を引くことにより、異なる１５のチャンネルを同時（同時刻）に選局したと仮定した場合における、各々のＴＳ信号に含まれる時間情報を生成することである。
【００３９】
例えば、図６においてチャンネル１の選局を開始した時の選局時間３２は、デジタル放送受信機に設けられた時計部３の時間情報基準において「２００７年２月３日、４時５分５４秒」であり、参照先であるＴＳ３４「ＴＳ０１」に含まれた精査前時間情報３５は「２００７年２月３日、４時５分５５秒」である。
この場合、選局時間差分３３は選局開始時であるため存在せず、精査後時間情報３６は「２００７年２月３日、４時５分５５秒」となる。
以下同様にして、例えば、チャンネル１０を選局した時の選局時間３２「２００７年２月３日、４時６分１２秒」における参照先ＴＳ３４は「ＴＳ１０」、「ＴＳ１０」に含まれている精査前時間情報３５は「２００７年２月３日、４時６分１５秒」である。
このとき、選局開始からの選局時間差分３３は、「１８秒」であるため、精査後時間情報３６は「２００７年２月３日、４時５分５７秒」となる。
【００４０】
図７Ａは、本発明における時間情報の検証を詳述するための図である。
図において、５１は図６における精査後時間情報３６を時間情報別に項目化した精査後時間情報、５２は各精査後時間情報５１の各項目に該当する時間情報数である。
【００４１】
図７Ａの場合、精査後の時間情報で最も多かった時間情報は、時間情報数が５件ある「２００７年２月３日、４時５分５５秒」である。
これにより、精査後の時間情報で最も確度が高い時間情報は「２００７年２月３日、４時５分５５秒」であることが言えるため、この時間情報に基づいて時計部３の時間情報の補正を行う。
【００４２】
しかしながら、図７Ｂの場合は、時間情報数５４を２件保持する精査後時間情報５３が計６項目存在するため、上述の図７Ａの場合と同様に即、最も確度が高い時間情報を導出することはできない。
【００４３】
この場合は、まず始めに、明らかに異なる時間情報、図７Ｂにおいては、「２００７年２月３日、１６時５分５５秒」と「２００７年２月４日、４時５分５５秒」を検証対象から除外し、残りの検証対象の時間情報について平均値を算出する。
この算出により、図７Ｂにおける平均値は、「２００７年２月３日、４時５分５５秒」となる。
【００４４】
次に、算出した平均値に近い項目の時間情報であり、時間情報数が最も多い項目の時間情報を検証する。
この条件を満たす時間情報は、図７Ｂにおいて、「２００７年２月３日、４時５分５５秒」となる。
【００４５】
上述の算出および検証により、最も確度が高い時間情報は、「２００７年２月３日、４時５分５５秒」であるため、この時間情報に基づいて時計部３の時間情報の補正を行う。
【００４６】
よって、本実施形態における検証とは、まず始めに、精査後時間情報の項目の中で最も時間情報数が多い項目が有るか否かを検証し、ある場合（図７Ａ）は、その項目の時間情報を最も確度の高い時間情報とし、ない場合（図７Ｂ）は、まず始めに、明らかに異なる時間情報を検証対象から除外し、次に、検証対象の時間情報の平均値を算出し、最後に、この平均値に近い項目の時間情報であり、かつ時間情報数が最も多い項目の時間情報を、最も確度が高い時間情報として導出することである。
【００４７】
このように、上述した本発明の実施形態においては、予めユーザーにより設定された時間情報補正を行う時間が到来することにより、選局部６において受信できる全てのチャンネルに対して選局を行い、選局により得られたＴＳ信号に含まれている複数の時間情報を時間情報精査部１６で精査した後、時間情報検証部１７にて検証することにより、最も確度が高い時間情報を導出することができる。
このため、時計部３の時間情報を正確な時間情報を以って精度良く補正することが出来る。
【００４８】
本発明では、以上述べた以外にも種々の実施形態を採用することができる。例えば、上記実施形態では、検証方法の一例として、時間情報の平均値の算出を行ったが、標準偏差などの算出方法を用いても構わない。
【００４９】
また、上記実施形態では、選局することにより得られた全ての時間情報について、精査および検証を行ったが、予め定められた所定数の時間情報について精査と検証を行うようにしてもよい。
【００５０】
また、上記実施形態においては、デジタル放送受信機１００を単体で取り上げたが、本発明のデジタル放送受信機は、テレビ受像機やＳＴＢ（Set Top Box）などの主映像機器または副映像機器に組み込むことも可能である。
【００５１】
さらに、本発明において、時計部の時間情報を補正するための補正用時間情報を、デジタル放送受信機に接続され、かつ時計部を備えた機器に同時に伝送することにより、このデジタル放送受信機に接続された全ての機器の時間情報までも補正することが可能となる。
【図面の簡単な説明】
【００５２】
【図１】本発明に係るデジタル放送受信機を用いて構成されるシステムの一例を示した図である。
【図２】デジタル放送における放送信号の構成を示す図である。
【図３】本発明に係るデジタル放送受信機の一例を示したブロック図である。
【図４】時間情報の補正手順を示したフローチャートである。
【図５】時間情報補正の設定時に表示される設定画面の一例を示した図である。
【図６】時間情報の精査を詳述するための図である。
【図７Ａ】時間情報の検証を詳述するための図である。
【図７Ｂ】時間情報の検証を詳述するための図である。
【符号の説明】
【００５３】
３      時計部
４      タイマ
６      選局部
９      ＴＳ信号処理部
１４    データ信号処理部
１６    時間情報精査部
１７    時間情報検証部
２１    トランスポートストリーム
２９    データ情報
１００  デジタル放送受信機
【図１】
2008294865.tif 000003
【図２】
2008294865.tif 000004
【図３】
2008294865.tif 000005
【図４】
2008294865.tif 000006
【図５】
2008294865.tif 000007
【図６】
2008294865.tif 000008
【図７Ａ】
2008294865.tif 000009
【図７Ｂ】
2008294865.tif 000010